(57)【要約】【課題】  この発明は、装置本体の上面に形成された空気流通孔からの埃の侵入を極力防止できるプラズマディスプレイパネルを備えた映像表示装置を提供することを目的とする。【解決手段】  装置本体の上面に形成された空気流通孔を開閉するための開閉部材であって、常時は空気流通孔を閉鎖している開閉部材、空気流通孔を閉鎖するための閉鎖位置および開放するための開放位置に開閉部材を移動させるための開閉部材駆動装置、装置本体内に設けられた冷却ファン、冷却ファンを駆動するためのファン駆動回路、装置本体内の温度を検出するための温度検出器、ならびに温度検出器の検出温度に基づいて、ファン駆動回路および開閉部材駆動装置を制御する制御手段を備えている。【選択図】  図３
2005274885.tif 000002
【特許請求の範囲】
【請求項１】
プラズマディスプレイパネルを備えておりかつ装置本体の背面および上面に空気流通孔が形成されている映像表示装置において、
装置本体の上面に形成された空気流通孔を開閉するための開閉部材であって、常時は空気流通孔を閉鎖している開閉部材、
空気流通孔を閉鎖するための閉鎖位置および開放するための開放位置に開閉部材を移動させるための開閉部材駆動装置、
装置本体内に設けられた冷却ファン、
冷却ファンを駆動するためのファン駆動回路、
装置本体内の温度を検出するための温度検出器、ならびに
温度検出器の検出温度に基づいて、ファン駆動回路および開閉部材駆動装置を制御する制御手段、
を備えていることを特徴とするプラズマディスプレイパネルを備えた映像表示装置。      
【請求項２】
制御手段は、温度検出器の検出温度が所定温度を越えたときに、冷却ファンを駆動させるようにファン駆動回路を制御するとともに開閉部材を開放位置に移動させるように開閉部材駆動装置を制御し、温度検出器の検出温度が所定温度以下になったときに、冷却ファンを停止させるようにファン駆動回路を制御するとともに開閉部材を閉鎖位置に移動させるように開閉部材駆動装置を制御するものであることを特徴とする請求項１に記載のプラズマディスプレイパネルを備えた映像表示装置。
【請求項３】
制御手段は、
温度検出器の検出温度が所定温度を越えたときに、冷却ファンを駆動させるようにファン駆動回路を制御するとともに開閉部材を開放位置に移動させるように開閉部材駆動装置を制御し、温度検出器の検出温度が所定温度以下になったときに、冷却ファンを停止させるようにファン駆動回路を制御するとともに開閉部材を閉鎖位置に移動させるように開閉部材駆動装置を制御する手段、ならびに電源オフ時には、開閉部材を閉鎖位置に移動させるように開閉部材駆動装置を制御する手段を備えていることを特徴とする請求項１に記載のプラズマディスプレイパネルを備えた映像表示装置。
【発明の詳細な説明】
【技術分野】
【０００１】
この発明は、プラズマディスプレイパネル（ＰＤＰ）を備えた映像表示装置に関する。
【背景技術】
【０００２】
ＰＤＰを備えたテレビジョン受像機等の映像表示装置では、ＰＤＰ等の発熱によって装置本体内部の温度が上昇しやすい。そこで、ＰＤＰを備えた映像表示装置には、装置本体内部の温度上昇を防止するために、装置本体内複数の冷却ファンが設けられている。そして、冷却ファンが設置されている箇所には、装置本体に熱放電用の空気流通孔が開けられている。ＰＤＰを備えた映像表示装置では、一般に、装置本体のバックカバーの背面と、上面とに空気流通孔が開けられている。
【０００３】
このように、バックカバーの上面に空気流通孔が開けられている場合には、その空気流通孔から埃が装置本体に侵入し、回路基板が故障する危惧がある。
【特許文献１】特開平５−１３９７４号公報
【発明の開示】
【発明が解決しようとする課題】
【０００４】
この発明は、装置本体の上面に形成された空気流通孔からの埃の侵入を極力防止できるプラズマディスプレイパネルを備えた映像表示装置を提供することを目的とする。
【課題を解決するための手段】
【０００５】
請求項１に記載の発明は、プラズマディスプレイパネルを備えておりかつ装置本体の背面および上面に空気流通孔が形成されている映像表示装置において、装置本体の上面に形成された空気流通孔を開閉するための開閉部材であって、常時は空気流通孔を閉鎖している開閉部材、空気流通孔を閉鎖するための閉鎖位置および開放するための開放位置に開閉部材を移動させるための開閉部材駆動装置、装置本体内に設けられた冷却ファン、冷却ファンを駆動するためのファン駆動回路、装置本体内の温度を検出するための温度検出器、ならびに温度検出器の検出温度に基づいて、ファン駆動回路および開閉部材駆動装置を制御する制御手段を備えていることを特徴とする。
【０００６】
請求項２に記載の発明は、請求項１に記載の発明において、制御手段は、温度検出器の検出温度が所定温度を越えたときに、冷却ファンを駆動させるようにファン駆動回路を制御するとともに開閉部材を開放位置に移動させるように開閉部材駆動装置を制御し、温度検出器の検出温度が所定温度以下になったときに、冷却ファンを停止させるようにファン駆動回路を制御するとともに開閉部材を閉鎖位置に移動させるように開閉部材駆動装置を制御するものであることを特徴とする。
【０００７】
請求項３に記載の発明は、請求項１に記載の発明において、制御手段は、温度検出器の検出温度が所定温度を越えたときに、冷却ファンを駆動させるようにファン駆動回路を制御するとともに開閉部材を開放位置に移動させるように開閉部材駆動装置を制御し、温度検出器の検出温度が所定温度以下になったときに、冷却ファンを停止させるようにファン駆動回路を制御するとともに開閉部材を閉鎖位置に移動させるように開閉部材駆動装置を制御する手段、ならびに電源オフ時には、開閉部材を閉鎖位置に移動させるように開閉部材駆動装置を制御する手段を備えていることを特徴とする。
【発明の効果】
【０００８】
この発明によれば、装置本体の上面に形成された空気流通孔からの埃の侵入を極力防止できるようになる。
【発明を実施するための最良の形態】
【０００９】
以下、図面を参照して、この発明をＰＤＰを備えたテレビジョン受像機に適用した場合の実施例について説明する。
【実施例１】
【００１０】
図１は、ＰＤＰを備えたテレビジョン受像機の背面側の外観を示している。
【００１１】
ＰＤＰを備えたテレビジョン受像機の後側部分は、バックカバー１００によって覆われている。バックカバー１００は、背面壁、上面壁、下面壁、両側壁とを備えている。バックカバー１００の上面壁には、幅中央を挟む配置で、第１の空気流通部１１０と第２の空気流通部１２０とが形成されている。第１の空気流通部１１０は、横方向に並んで形成された３つの縦長スリット状の空気流通孔１１１から構成されている。第２の空気流通部１２０も、横方向に並んで形成された３つの縦長スリット状の空気流通孔１２１から構成されている。
【００１２】
バックカバー１００の背面壁には、幅中央を挟む配置で、第３の空気流通部１３０と第４の空気流通部１４０とが形成されている。第３の空気流通部１３０は、横方向に並んで形成された３つの縦長スリット状の空気流通孔１３１から構成されている。第４の空気流通部１４０も、横方向に並んで形成された３つの縦長スリット状の空気流通孔１４１から構成されている。第１〜第４の空気流通部１１０〜１４０の内側には、それぞれ冷却ファン１（図３参照）が設けられている。
【００１３】
図２（ａ），（ｂ）に示すように、バックカバー１００の上面壁に形成された第１の空気流通部１１０の内側には、空気流通部１１０の空気流通孔１１１を開閉するための開閉部材３がバックカバー１００の上面壁内面に沿って横方向にスライド自在に取り付けられている。開閉部材３はソレノイド４（図３参照）によって、空気流通孔１１１を閉鎖する閉鎖位置（図２（ａ）に示される位置）と、空気流通孔１１１を開放する開放位置（図２（ｂ）に示される位置）との間を移動せしめられる。図示しないが、同様に、バックカバー１００の上面壁に形成された第２の空気流通部１２０の内側にも、空気流通孔１２１を開閉するための開閉部材がバックカバー１００の上面壁内面に沿って横方向にスライド自在に取り付けられている。この開閉部材もソレノイドによって往復移動せしめられる。
【００１４】
常時は、空気流通部１１０，１２０の空気流通孔は開閉部材によって閉鎖されており、ソレノイドが作動状態（オン状態）にされると、開閉部材が開放位置（図２（ｂ）に示される位置）に移動して空気流通部１１０，１２０の空気流通孔が開放状態となる。空気流通部１１０，１２０の空気流通孔が開放状態であるときに、ソレノイドの非作動状態（オフ状態）にされると、開閉部材が閉鎖位置（図２（ａ）に示される位置）まで移動して空気流通部１１０，１２０の空気流通孔が閉鎖状態となる。
【００１５】
図３は、ＰＤＰを備えたテレビジョン受像機に設けられた冷却ファンおよび開閉部材の制御回路の構成を示している。
【００１６】
図３においては、説明の便宜上、４個の冷却ファン１のうちの１つの冷却ファンのみを図示しているが、他の冷却ファンも同様に制御される。また、説明の便宜上、２個の開閉部材３のうち、１方の開閉部材３を駆動するソレノイド４のみ図示しているが、他方の開閉部材を駆動するソレノイドも同様に制御される。
【００１７】
冷却ファン１は、ファン駆動回路２によって駆動される。ファン駆動回路２は、テレビジョン受像機全体を制御するマイコン等の制御部１０によって制御される。開閉部材３を駆動するソレノイド４は、制御部１０によって制御される。制御部１０には、温度検出器５が接続されている。また、制御部１０には、本体操作部１１からの操作信号が入力される。さらに、制御部１０には、リモコン１２からの操作信号がリモコン受光器１３を介して入力される。
【００１８】
本体操作部１１には、制御部１０および本体操作部１１以外の電源をオフするための本体電源オフキーが設けられている。制御部１０および本体操作部１１以外の電源がオフされた状態を本体電源オフ状態ということにする。電源オン状態であるときまたは後述するスタンバイ状態にあるときに、本体電源オフキーが操作されると、本体電源オフ指令が制御部１０に入力され、本体電源オフ状態となる。本体電源オフ状態であるときに、本体電源オフキーが操作されると、電源オン指令が制御部１０に入力され、電源オン状態となる。
【００１９】
リモコン１２には、制御部１０、本体操作部１１およびリモコン受光器１３以外の電源をオフするためのスタンバイ指令入力キーが設けられている。制御部１０、本体操作部１１およびリモコン受光器１３以外の電源がオフされた状態をスタンバイ状態という。電源オン状態であるときに、スタンバイ指令入力キーが操作されると、スタンバイ指令が制御部１０に入力され、スタンバイ状態となる。ただし、スタンバイ指令が入力されたときに、冷却ファン１が駆動されているときには、一定時間、冷却ファン１が駆動せしめられた後に、スタンバイ状態となる。スタンバイ状態であるときに、スタンバイ指令入力キーが操作されると、電源オン指令が制御部１０に入力され、電源オン状態となる。
【００２０】
図４は、制御部１０による冷却ファン１およびソレノイド４の制御処理手順を示している。
【００２１】
電源がオンされると（ステップＳ１）、温度検出器５の検出温度Ｔが所定温度Ｔｓを越えたか否かを判別する（ステップＳ２）。検出温度Ｔが所定温度Ｔｓを越えていると判別したときには、冷却ファン１を駆動状態（オン状態）にさせるとともに、ソレノイド４を作動状態（オン状態）にさせる（ステップＳ３，Ｓ４）。したがって、冷却ファン１が駆動されるとともに、第１および第２空気流通部１１０，１２０の空気流通孔１１１，１２１が開放状態とされる。この後、ステップＳ７に進む。
【００２２】
上記ステップＳ２において、検出温度Ｔが所定温度Ｔｓ以下であると判別した場合には、冷却ファン１を停止状態（オフ状態）にさせるとともに、ソレノイド４を非作動状態（オフ状態）にさせる（ステップＳ５，Ｓ６）。したがって、冷却ファン１が駆動状態となっているときには、冷却ファン１が停止せしめられる。また、ソレノイド４が作動状態となっているときには、ソレノイド４が非作動状態とされ、第１および第２空気流通部１１０，１２０の空気流通孔１１１，１２１が開閉部材によって閉鎖された状態となる。この後、ステップＳ７に進む。
【００２３】
ステップＳ７では、本体電源オフ指令が入力されたか否かを判別する。本体電源オフ指令が入力されていないときには、スタンバイ指令が入力されたか否かを判別する（ステップＳ９）。スタンバイ指令が入力されてないときには、ステップＳ１に戻る。
【００２４】
上記ステップＳ７において、本体電源オフ指令が入力されたと判別した場合には、本体電源オフ状態にさせる（ステップＳ８）。つまり、制御部１０および本体操作部１１以外の電源がオフされた状態となるので、冷却ファン１が停止状態となるとともに、第１および第２空気流通部１１０，１２０の空気流通孔１１１，１２１は開閉部材によって閉鎖された状態となる。この後、ステップＳ１に戻る。
【００２５】
上記ステップＳ９において、スタンバイ指令が入力されたと判別した場合には、冷却ファン１が駆動状態であるか否かを判別する（ステップＳ１０）。冷却ファン１が停止状態である場合には、スタンバイ状態にさせる（ステップＳ１１）。つまり、制御部１０、本体操作部１１およびリモコン受光器１３以外の電源がオフされた状態となるので、冷却ファン１が停止状態となるとともに、第１および第２空気流通部１１０，１２０の空気流通孔１１１，１２１は開閉部材によって閉鎖された状態となる。そして、ステップＳ１に戻る。
【００２６】
上記ステップＳ１０において、冷却ファン１が駆動状態であると判別した場合には、冷却ファン１のファン駆動回路２、制御部１０、本体操作部１１およびリモコン受光器１３以外の電源をオフさせた状態にさせる（ステップＳ１２）。所定時間を計時するためのタイマ（ソフトタイマ）をスタートさせる（ステップＳ１３）。
【００２７】
そして、タイマがタイムアップしたか（所定時間が経過したか）否かを判別する（ステップＳ１４）。タイマがタイムアップしていない場合には、本体電源オフ指令が入力されたか否かを判別する（ステップＳ１５）。本体電源オフ指令が入力されていない場合には、電源がオンされたか否かを判別する（ステップＳ１６）。電源がオンされていなければ、ステップＳ１４に戻る。このようにして、ステップＳ１４、Ｓ１５、Ｓ１６が繰り返し行われ、タイマがタイムアップした場合には、スタンバイ状態にさせる（ステップＳ１１）。つまり、制御部１０、本体操作部１１およびリモコン受光器１３以外の電源がオフされた状態となるので、冷却ファン１が停止状態となるとともに、第１および第２空気流通部１１０，１２０の空気流通孔１１１，１２１は開閉部材によって閉鎖された状態となる。そして、ステップＳ１に戻る。
【００２８】
上記ステップＳ１５において、本体電源オフ指令が入力されたと判別した場合には、タイマをリセット（停止）させた後（ステップＳ１７）、本体電源オフ状態にさせる（ステップＳ１８）。つまり、制御部１０および本体操作部１１以外の電源がオフされた状態となるので、冷却ファン１が停止状態となるとともに、第１および第２空気流通部１１０，１２０の空気流通孔１１１，１２１は開閉部材によって閉鎖された状態となる。この後、ステップＳ１に戻る。
【００２９】
上記ステップＳ１６において、電源がオンされたと判別した場合には、タイマをリセット（停止）させた後（ステップＳ１９）、ステップＳ２に戻る。
【００３０】
なお、テレビジョン受像機に表示される１画面当たりの映像信号の平均輝度値を監視し、複数画面にわたる所定時間単位の平均輝度値が所定値より大きいときにも、冷却ファン１を駆動状態（オン状態）にさせるとともに、ソレノイド４を作動状態（オン状態）にさせるようにしてもよい。
【図面の簡単な説明】
【００３１】
【図１】ＰＤＰを備えたテレビジョン受像機の背面側の外観を示す斜視図である。
【図２】バックカバー１００の上面壁に形成された第１の空気流通部１１０と、それを開閉するための開閉部材３とを示す拡大斜視図である。
【図３】ＰＤＰを備えたテレビジョン受像機に設けられた冷却ファンおよび開閉部材の制御回路の構成を示すブロック図である。
【図４】制御部１０による冷却ファン１およびソレノイド４の制御処理手順を示すフローチャートである。
【符号の説明】
【００３２】
１  冷却ファン
２  ファン駆動回路
３  開閉部材
４  ソレノイド
５  温度検出器
１０  制御部
１１  本体操作部
１２  リモコン
１３  リモコン受光器
１１０，１２０  空気流通部
１１１，１２１  空気流通孔
【図１】
2005274885.tif 000003
【図２】
2005274885.tif 000004
【図３】
2005274885.tif 000005
【図４】
2005274885.tif 000006